(57)【要約】【課題】コンクリート天井の構築時に貫通孔からコンクリートが漏れ出ることを防止することができるとともに、デッキプレートに対する設置作業を容易に行うことができる管・ケーブル類の支持具の設置方法及び管・ケーブル類の支持具を提供すること。【解決手段】支持具１０は、デッキプレートＰに穿設された貫通孔Ｐｃを閉鎖してデッキプレートＰの上面に固着される固着部２０と、固着部２０から延設された取付部２１及び該取付部２１に取付けられてケーブルＤを支持する線材３０よりなる支持部４０とを備えている。また、固着部２０の下面２２には、粘着テープ２６が貼着されている。支持具１０をデッキプレートＰに設置したとき、固着部２０の下面２２と貫通孔Ｐｃの周縁部となる底部Ｐｂの上面Ｐｄとが粘着テープ２６によって接着される。【選択図】      図１
2006022862.tif 000002
【特許請求の範囲】
【請求項１】
デッキプレートの上面にコンクリートが打設されてなるコンクリート天井に設置され該コンクリート天井から管類又はケーブル類を吊り下げるために用いられる管・ケーブル類の支持具の前記コンクリート天井に対する設置方法であって、
前記管・ケーブル類の支持具は、前記デッキプレートに穿設された貫通孔を閉鎖して前記デッキプレートの上面に固着される固着部と、該固着部から延設されデッキプレートよりも下方位置で前記管類又はケーブル類を支持可能とする支持部とよりなり、前記支持部が延設された側に位置する固着部の一面と、貫通孔の周縁部となるデッキプレートの上面とを接着手段によって接着して管・ケーブル類の支持具をデッキプレートの上面に設置することを特徴とする管・ケーブル類の支持具の設置方法。
【請求項２】
デッキプレートの上面にコンクリートが打設されてなるコンクリート天井に設置され該コンクリート天井から管類又はケーブル類を吊り下げるために用いられる管・ケーブル類の支持具であって、
前記デッキプレートに穿設された貫通孔を閉鎖して前記デッキプレートの上面に固着される固着部と、該固着部から延設されデッキプレートよりも下方位置で前記管類又はケーブル類を支持可能とする支持部とよりなり、
前記支持部が延設された側に位置する固着部の一面には、該固着部の一面と貫通孔の周縁部となるデッキプレートの上面とを接着する接着手段が設けられていることを特徴とする管・ケーブル類の支持具。
【請求項３】
前記支持部は固着部から延設された取付部よりなり、該取付部は管類又はケーブル類を支持する支持部材を取付け可能である請求項２に記載の管・ケーブル類の支持具。
【請求項４】
前記支持部は、固着部から延設された取付部と、該取付部に取付けられ管類又はケーブル類を支持する支持部材とよりなる請求項２に記載の管・ケーブル類の支持具。
【請求項５】
前記支持部材は手により折り曲げ可能な線材よりなる請求項３又は請求項４に記載の管・ケーブル類の支持具。
【請求項６】
前記支持部は手により折り曲げ可能な線材よりなる請求項２に記載の管・ケーブル類の支持具。
【請求項７】
前記線材によって支持された管類又はケーブル類に対して前記デッキプレートの下面より下方位置で当接可能な当接部を備える請求項５又は請求項６に記載の管・ケーブル類の支持具。
【請求項８】
前記貫通孔の内面に当接して固着部を位置決めする位置決め部を備える請求項２〜請求項７のいずれか一項に記載の管・ケーブル類の支持具。
【請求項９】
前記接着手段は粘着テープである請求項２〜請求項８のいずれか一項に記載の管・ケーブル類の支持具。
【請求項１０】
前記粘着テープは粘着面に剥離紙が貼着され、該剥離紙には切り込みが形成されている請求項９に記載の管・ケーブル類の支持具。
【請求項１１】
前記剥離紙には把持片が設けられている請求項１０に記載の管・ケーブル類の支持具。
【発明の詳細な説明】
【技術分野】
【０００１】
本発明は、コンクリート天井から管類又はケーブル類を吊り下げるために用いられる管・ケーブル類の支持具をコンクリート天井に設置する方法及び管・ケーブル類の支持具に関する。
【背景技術】
【０００２】
コンクリート天井に、管類（保護管等）又はケーブル類（ケーブル）を吊り下げて支持させるために管・ケーブル類の支持具（以下、単に支持具と記載する）が用いられている。前記コンクリート天井は、金属板製のデッキプレートの上面にコンクリートが打設されて構築される天井である。
【０００３】
また、前記支持具としては、例えば特許文献１に開示されるような支持具が挙げられる。図８に示すように、支持具９０は、全体が合成樹脂材料より形成されている。支持具９０は方形状をなす接着板９１と、接着板９１の両側に連結部９２を介して連設された仮接着板９３と、前記接着板９１の下面に一体に設けられたフック９４とより構成されているものである。また、前記接着板９１の上面には接着剤が塗布され、一対の仮接着板９３の上面には両面接着テープが予め接着されている。
【０００４】
そして、上記構成の支持具９０がコンクリート天井の下面に固着される。詳細には、まず、接着板９１に接着剤を塗布し、その接着板９１を接着剤を介してデッキプレートの下面に密着させると同時に、各仮接着板９３の両面接着テープをデッキプレートの下面に密着させて両面接着テープを介して各仮接着板９３をデッキプレートの下面に接着させる。すると、両面接着テープによって、接着剤がデッキプレートの下面に密着した状態が維持され、接着剤が硬化した後は、該接着剤によって支持具が天井面に固着される。そして、コンクリート天井に固着された支持具９０のフック９４に管類又はケーブル類を支持させると、該支持具９０によってコンクリート天井に管類又はケーブル類が吊り下げられる。
【特許文献１】特開平１０−１４８２７６号公報（［０００８］〜［００１２］、図１）
【発明の開示】
【発明が解決しようとする課題】
【０００５】
ところが、特許文献１に記載の支持具９０を用いて管類又はケーブル類をコンクリート天井から吊り下げた場合、フック９４に支持された管類又はケーブル類の荷重が、フック９４の真上に位置する接着剤に対して下方への引張り力として作用する。このため、前記引張り力によって接着剤が下方へ引張られ接着板９１とコンクリート天井との接着が確実に行われなくなってしまう。その結果、接着剤によってコンクリート天井に固着された支持具９０に管類又はケーブル類を支持させると、支持具９０がコンクリート天井から落下するおそれがあるという問題があった。
【０００６】
そこで、支持具９０を接着剤によってデッキプレートの下面に接着するのではなく、支持具９０をデッキプレートに直接的に支持させることが考えられる。支持具９０をデッキプレートに直接的に支持させるには、まず、デッキプレート上面にコンクリートを打設する前に、デッキプレートに該デッキプレートを上下方向に貫通する貫通孔を穿設する。次いで、貫通孔にフック９４を通過させて該フック９４をデッキプレートの下面から下方へ突出させ、さらに、接着板９１及び仮接着板９３の下面を貫通孔の周縁部となるデッキプレートの上面に当接させて支持具９０をデッキプレートに支持させる。最後に、デッキプレートの上面にコンクリートを打設し、該コンクリート内に支持具９０を埋設する。
【０００７】
そして、支持具９０のフック９４に管類又はケーブル類を支持させると、管類又はケーブル類の荷重によって支持具９０は下方へ引張られるが、接着板９１及び仮接着板９３の下面がデッキプレートの上面に当接している。このため、下方への引張り力は、デッキプレートに受承され、支持具９０がデッキプレートから落下するおそれがなくなり、支持具９０によって管類又はケーブル類をコンクリート天井に安定した状態で吊り下げることが可能となる。
【０００８】
ところで、支持具９０をデッキプレートに支持させる方法において、デッキプレートの上面に打設されたコンクリートが、貫通孔を通過してデッキプレートの下方へ漏れ出ないようにしなければならない。コンクリートの漏れを防止する方法としては、フック９４の基端部の外周面が貫通孔の内周面に密接するようにフック９４を貫通孔に押し込んで嵌合させることが考えられる。しかし、フック９４の基端部を貫通孔に嵌合させただけでは、コンクリートが接着板９１及び仮接着板９３の下面とデッキプレートの上面との間から貫通孔内に侵入してしまい、コンクリートがデッキプレートの下方へ漏れ出でしまうおそれがあった。また、フック９４を貫通孔に嵌合させるには、貫通孔の内周面がフック９４の基端部の外周面に密接するように、デッキプレートに貫通孔を精度良く穿設しなければならず、貫通孔の穿設作業が非常に面倒であり支持具９０のデッキプレートに対する設置作業が非常に面倒であるという問題があった。
【０００９】
本発明の目的は、コンクリート天井の構築時に貫通孔からコンクリートが漏れ出ることを防止することができるとともに、デッキプレートに対する設置作業を容易に行うことができる管・ケーブル類の支持具の設置方法及び管・ケーブル類の支持具を提供することにある。
【課題を解決するための手段】
【００１０】
上記問題点を解決するために、請求項１に記載の発明は、デッキプレートの上面にコンクリートが打設されてなるコンクリート天井に設置され該コンクリート天井から管類又はケーブル類を吊り下げるために用いられる管・ケーブル類の支持具の前記コンクリート天井に対する設置方法であって、前記管・ケーブル類の支持具は、前記デッキプレートに穿設された貫通孔を閉鎖して前記デッキプレートの上面に固着される固着部と、該固着部から延設されデッキプレートよりも下方位置で前記管類又はケーブル類を支持可能とする支持部とよりなり、前記支持部が延設された側に位置する固着部の一面と、貫通孔の周縁部となるデッキプレートの上面とを接着手段によって接着して管・ケーブル類の支持具をデッキプレートの上面に設置することを要旨とする。
【００１１】
したがって、請求項１に記載の管・ケーブル類の支持具の設置方法によれば、支持部が延設された側に位置する固着部の一面を、貫通孔の周縁部たるデッキプレートの上面に支持させるとともに、固着部の一面と貫通孔の周縁部たるデッキプレートの上面とを接着手段によって接着して支持具をデッキプレートに設置した。このため、固着部によって貫通孔を閉鎖した状態が維持されて、固着部の一面とデッキプレートの上面との間にコンクリートが侵入し、さらには貫通孔内にコンクリートが侵入することを阻止できる。したがって、コンクリート天井の構築時に、貫通孔からコンクリートが漏れ出ることを防止することができる。また、固着部及び接着手段によって貫通孔内へのコンクリートの侵入を防止したため、支持部の外面と貫通孔の内周面との間にコンクリートが侵入し、さらにそのコンクリートがデッキプレート下方へ漏れ出てしまうおそれを考慮する必要がない。したがって、管・ケーブル類の支持具のデッキプレートへの設置時に、例えば、支持部の外面と貫通孔の内周面との間をコンクリートが通過するのを阻止するために貫通孔の内周面が支持部に密接するようにデッキプレートに貫通孔を精度良く穿設する必要がない。すなわち、デッキプレートに対する貫通孔の穿設作業を容易に行うことができ、管・ケーブル類の支持具のデッキプレートへの設置作業を容易に行うことができる。
【００１２】
請求項２に記載の発明は、デッキプレートの上面にコンクリートが打設されてなるコンクリート天井に設置され該コンクリート天井から管類又はケーブル類を吊り下げるために用いられる管・ケーブル類の支持具であって、前記デッキプレートに穿設された貫通孔を閉鎖して前記デッキプレートの上面に固着される固着部と、該固着部から延設されデッキプレートよりも下方位置で前記管類又はケーブル類を支持可能とする支持部とよりなり、前記支持部が延設された側に位置する固着部の一面には、該固着部の一面と貫通孔の周縁部となるデッキプレートの上面とを接着する接着手段が設けられていることを要旨とする。
【００１３】
したがって、請求項２に記載の管・ケーブル類の支持具によれば、支持部が延設された側に位置する固着部の一面を、貫通孔の周縁部たるデッキプレートの上面に支持させるとともに、固着部の一面と貫通孔の周縁部たるデッキプレートの上面とを接着手段によって接着して支持具をデッキプレートに設置することができる。このため、固着部によって貫通孔を閉鎖した状態が維持されて、固着部の一面とデッキプレートの上面との間にコンクリートが侵入し、さらには貫通孔内にコンクリートが侵入することを阻止できる。したがって、コンクリート天井の構築時に、貫通孔からコンクリートが漏れ出ることを防止することができる。また、固着部及び接着手段によって貫通孔内へのコンクリートの侵入を防止したため、支持部の外面と貫通孔の内周面との間にコンクリートが侵入し、さらにそのコンクリートがデッキプレート下方へ漏れ出てしまうおそれを考慮する必要がない。したがって、管・ケーブル類の支持具のデッキプレートへの設置時に、例えば、支持部の外面と貫通孔の内周面との間をコンクリートが通過するのを阻止するために貫通孔の内周面が支持部に密接するようにデッキプレートに貫通孔を精度良く穿設する必要がない。すなわち、デッキプレートに対する貫通孔の穿設作業を容易に行うことができ、管・ケーブル類の支持具のデッキプレートへの設置作業を容易に行うことができる。さらに、固着部の一面に接着手段が予め設けられているため、支持具をデッキプレートに設置する作業を行うその時に、固着部の一面に接着手段を設ける場合と比較して、支持具のデッキプレートへの設置作業、ひいては、管類又はケーブル類をコンクリート天井に吊り下げる作業を簡易化することができる。
【００１４】
請求項３に記載の発明は、前記支持部の好適な一態様について言及するものである。すなわち、請求項２に記載の管・ケーブル類の支持具において、前記支持部は固着部から延設された取付部よりなり、該取付部は管類又はケーブル類を支持する支持部材を取付け可能であることを要旨とする。
【００１５】
請求項４に記載の発明は、前記支持部の好適な一態様について言及するものである。すなわち、請求項２に記載の管・ケーブル類の支持具において、前記支持部は、固着部から延設された取付部と、該取付部に取付けられ管類又はケーブル類を支持する支持部材とよりなることを要旨とする。
【００１６】
請求項５に記載の発明は、前記支持部材の好適な一態様について言及するものである。すなわち、請求項３又は請求項４に記載の管・ケーブル類の支持具において、前記支持部材は手により折り曲げ可能な線材よりなる。したがって、線材を手により折り曲げて、管類又はケーブル類を線材にて保持するのに好適な形状に容易に変形させることができる。
【００１７】
請求項６に記載の発明は、前記支持部の好適な一態様について言及するものである。すなわち、請求項２に記載の管・ケーブル類の支持具において、前記支持部は手により折り曲げ可能な線材よりなる。したがって、線材を手により折り曲げて、管類又はケーブル類を線材にて保持するのに好適な形状に容易に変形させることができる。
【００１８】
請求項７に記載の発明は、請求項５又は請求項６に記載の管・ケーブル類の支持具において、前記線材によって支持された管類又はケーブル類に対して前記デッキプレートの下面より下方位置で当接可能な当接部を備えることを要旨とする。したがって、管類又はケーブル類が固着部に向かって線材によって引寄せられた状態で該線材に支持されたとき、当接部と管類又はケーブル類との当接によって管類又はケーブル類をデッキプレートの下面及び貫通孔から離れた位置に支持することができる。したがって、線材に支持された管類又はケーブル類が、デッキプレートの下面と貫通孔との境界端縁に接触してしまうのを当接部によって阻止することができる。
【００１９】
請求項８に記載の発明は、請求項２〜請求項７のいずれか一項に記載の管・ケーブル類の支持具において、前記貫通孔の内面に当接して固着部を位置決めする位置決め部を備えることを要旨とする。したがって、コンクリート天井の構築時に固着部にコンクリート打設圧が作用し、固着部に対して該固着部を貫通孔の径方向へ移動させる力が作用しても位置決め部が貫通孔の内面に速やかに当接する。このため、貫通孔の周縁部たるデッキプレートの上面に対し、固着部の一面が大きく相対移動することが規制され、両面を接着する接着手段に大きな負荷が作用することを抑制できる。
【００２０】
請求項９に記載の発明は、前記接着手段の好適な一態様について言及するものである。すなわち、請求項２〜請求項８のいずれか一項に記載の管・ケーブル類の支持具において、前記接着手段は粘着テープである。したがって、粘着テープは、例えば、接着剤のように硬化して所要の接着強度が発揮されるまでに時間を要することなく接着強度を速やかに発揮することができる。このため、固着部の一面と貫通孔の周縁部となるデッキプレートの上面とを接着した直後から所要の接着強度を発揮することができる。したがって、固着部の一面と貫通孔の周縁部となるデッキプレートの上面とを粘着テープにて接着した直後に、コンクリートを打設してコンクリート天井を構築しても、粘着テープの粘着力により固着部とデッキプレートとの接着状態を維持することができる。
【００２１】
請求項１０に記載の発明は、請求項９に記載の管・ケーブル類の支持具において、前記粘着テープは粘着面に剥離紙が貼着され、該剥離紙には切り込みが形成されていることを要旨とする。したがって、剥離紙を粘着テープの粘着面から剥離したとき、剥離紙における切り込みの両側部を切り込みに沿って粘着面から剥離することができる。このため、例えば、剥離紙に切り込みが形成されていない場合と比較して、剥離紙を粘着テープの粘着面から剥離しやすくできる。また、粘着面から剥離された剥離紙を、固着部の一面に対してほぼ水平となる方向へ引張って剥離紙が支持部に接触したとき、剥離紙における切り込みの両側が、該切り込みを境として支持部の両側に分断され、剥離紙をそのまま引張り続けることが可能となる。
【００２２】
請求項１１に記載の発明は、請求項１０に記載の管・ケーブル類の支持具において、前記剥離紙には把持片が設けられていることを要旨とする。したがって、把持片を指で把持することができる。このため、例えば、剥離紙に把持片が形成されず、剥離紙の一部を粘着テープから剥離し、その剥離された剥離紙の一部を指で摘んで剥離紙の剥離作業を行う場合と比較して、把持片を形成したことにより剥離紙の剥離作業を簡易化することができる。
【発明の効果】
【００２３】
本発明によれば、コンクリート天井の構築時に貫通孔からコンクリートが漏れ出ることを防止することができるとともに、デッキプレートに対する設置作業を容易に行うことができる。
【発明を実施するための最良の形態】
【００２４】
（第１実施形態）
以下、本発明を具体化した管・ケーブル類の支持具の設置方法及び管・ケーブル類の支持具の一実施形態を図１〜図３にしたがって説明する。
【００２５】
図１に示すように、管・ケーブル類の支持具（以下、単に「支持具」と記載する）１０は、ケーブル（ケーブル類）Ｄを、建物内のコンクリート天井Ｔから吊り下げ支持するために用いられる。コンクリート天井Ｔは、金属板製のデッキプレートＰの上面にコンクリートを打設して構築され、デッキプレートＰとコンクリートが硬化してなるコンクリート層Ｃとよりなる。デッキプレートＰは金属板に、下方へ突出する長尺状の突条部Ｐａを複数並列に形成して凹凸状に形成されている。デッキプレートＰにおいて、突条部Ｐａの底部Ｐｂには、支持具１０を設置するための円孔状の貫通孔Ｐｃが底部Ｐｂをその厚み方向へ貫通して穿設されるようになっている。
【００２６】
支持具１０は、前記デッキプレートＰの底部Ｐｂの上面Ｐｄに固着される固着部２０と、ケーブルＤを支持可能とする支持部４０とを備えている。前記固着部２０は合成樹脂材料より形成され剛性を有する円盤状をなす。固着部２０の直径は、貫通孔Ｐｃの直径より大きく形成されている。固着部２０の中央部には円柱状をなす取付部２１が下方へ延びるように形成され、該取付部２１は線材３０を取付け可能に形成されている。前記線材３０は手によって自在に折り曲げ可能なバインド線よりなり、線材３０は支持部材を構成し、この線材３０と取付部２１とによって支持具１０の支持部４０が構成されている。
【００２７】
取付部２１は、その基端部における径方向への最大長さが貫通孔Ｐｃの直径より小さく形成されて貫通孔Ｐｃ内に挿入可能に形成されている。そして、固着部２０は、取付部２１を貫通孔Ｐｃ内に挿入したとき、該取付部２１の外周に位置する固着部２０の一面たる下面２２が貫通孔Ｐｃの周縁部となる底部Ｐｂの上面Ｐｄに当接し、固着部２０は貫通孔Ｐｃを閉鎖可能な大きさに形成されている。
【００２８】
図２に示すように、取付部２１よりも外周側となる固着部２０下面２２の円環状部には接着手段としての粘着テープ２６が貼着されている。この粘着テープ２６は一面（上面）が固着部２０の下面２２に貼着され、他面（下面）に粘着剤が塗布されている。そして、取付部２１を貫通孔Ｐｃ内に挿入したとき、粘着テープ２６によって、固着部２０の下面２２が、貫通孔Ｐｃの周縁部となる底部Ｐｂの上面Ｐｄに接着され、該固着部２０が底部Ｐｂの上面Ｐｄに固着されるようになっている。また、粘着テープ２６の他面の粘着剤の表面には、該粘着テープ２６と同形状をなす剥離紙２３が貼着され、この剥離紙２３は支持具１０をデッキプレートＰに設置するときに剥離される。剥離紙２３には、固着部２０の径方向に沿って直線状に延びる切り込み２３ａが形成されている。剥離紙２３において、取付部（吊り部４０）２１を介した切り込み２３ａの反対側には指で把持可能な把持片２３ｂが突出形成されている。
【００２９】
前記取付部２１の軸線方向への長さは、固着部２０の下面２２を底部Ｐｂの上面Ｐｄに当接させたとき（粘着テープ２６によって、固着部２０の下面２２が底部Ｐｂの上面Ｐｄに接着されたとき）、取付部２１の先端面が底部Ｐｂの下面より下方へ突出するように設定されている。また、取付部２１の先端面には、前記線材３０にてケーブルＤを支持したとき、ケーブルＤが当接可能な当接面２１ｃが形成されている。すなわち、取付部２１はケーブルＤが当接する当接部として支持具１０に設けられている。
【００３０】
取付部２１には、挿通孔２１ａが該取付部２１の径方向へ貫通して形成されている。さらに、取付部２１の下部には、挿通孔２１ａの両開口に連通する溝２１ｂが、挿通孔２１ａから取付部２１の軸方向に沿って下方へ延びるように凹設されている。そして、図１に示すように、挿通孔２１ａには線材３０が挿通され、この線材３０と取付部２１とよりなる支持部４０が支持具１０に構成されている。挿通孔２１ａに挿通された線材３０は、両側がそれぞれ挿通孔２１ａの両開口から取付部２１の外部に引き出され、さらに、溝２１ｂ内に沿うように配設されている。そして、この線材３０は、ケーブルＤを包囲しその両端を結束することによりケーブルＤを保持することができる。
【００３１】
さて、上記支持具１０をデッキプレートＰに設置し、該支持具１０を使用してケーブルＤをコンクリート天井Ｔから吊り下げるには、まず、支持具１０を設置するデッキプレートＰの突条部Ｐａの底部Ｐｂに貫通孔Ｐｃを穿設する。このとき、貫通孔Ｐｃの大きさは、取付部２１が底部Ｐｂを貫通することが可能であり、固着部２０によって閉鎖可能であればよい。このため、例えば、取付部２１を貫通孔Ｐｃ内に挿入したとき、貫通孔Ｐｃの内周面が取付部２１の外周面に密接するように、貫通孔Ｐｃを精度よく底部Ｐｂに穿設する必要がない。なお、貫通孔Ｐｃは直径が大きすぎると、粘着テープ２６を底部Ｐｂの上面Ｐｄに貼着できなくなるため好ましくない。
【００３２】
そして、固着部２０の下面２２に貼着された粘着テープ２６の剥離紙２３を粘着テープ２６の粘着面から剥離する。詳細には、把持片２３ｂを指にて把持し、剥離紙２３を粘着面から剥離する方向へ引張る。すると、剥離紙２３は切り込み２３ａに沿って粘着面から剥離されていく。さらに、粘着面から剥離された剥離紙２３を、把持片２３ｂ側へ引張ると剥離紙２３はその内周が取付部２１又は線材３０に接触するが、切り込み２３ａから剥離紙２３が分割され、切り込み２３ａの両側が取付部２１の径方向外側を通過して引張った方向へと移動される。したがって、例えば、切り込み２３ａが剥離紙２３に形成されていない場合のように、剥離紙２３が取付部２１又は線材３０に接触したとき剥離紙２３が破れる等する不具合が発生しない。
【００３３】
次に、図１及び図３に示すように、線材３０をデッキプレートＰの内側から貫通孔Ｐｃ内に挿入し、さらに取付部２１を貫通孔Ｐｃ内に挿入する。そして、固着部２０を底部Ｐｂに押し付け、粘着テープ２６の粘着面を底部Ｐｂの上面Ｐｄに接着する。この結果、粘着テープ２６を介して固着部２０の下面２２が貫通孔Ｐｃの周縁部たる底部Ｐｂの上面Ｐｄに当接して支持具１０がデッキプレートＰに支持される。また、固着部２０の下面２２が、貫通孔Ｐｃの周縁部となる底部Ｐｂの上面Ｐｄに粘着テープ２６によって接着されるとともに、固着部２０がデッキプレートＰに固着される。すなわち、固着部２０の下面２２と底部Ｐｂの上面Ｐｄとの間が粘着テープ２６によって接着されることによって、貫通孔Ｐｃの周縁部はシールされるとともに、貫通孔Ｐｃが固着部２０によって閉鎖される。
【００３４】
次いで、貫通孔Ｐｃを通過してデッキプレートＰの下側に延びる線材３０を用いてケーブルＤを結束保持する。ケーブルＤを保持した線材３０は、ケーブルＤの荷重によって下方へ引張られ、その線材３０の両側部が溝２１ｂ内に入り込む。このため、例えばケーブルＤにその軸方向へ移動させる力が作用したとき、線材３０が溝２１ｂの内面に当接して線材３０が移動することが阻止され、ケーブルＤの移動が規制される。また、線材３０によってケーブルＤが支持具１０（固着部２０）に向かって引寄せられた状態で線材３０に保持されたとき、ケーブルＤは当接面２１ｃに当接する。このため、ケーブルＤはデッキプレートＰよりも下方へ離れた位置で線材３０に支持され、底部Ｐｂの下面と貫通孔Ｐｃとの境界にケーブルＤが接触することが防止される。
【００３５】
そして、ケーブルＤがデッキプレートＰに吊り下げて支持された状態では、支持具１０は固着部２０によって底部Ｐｂの上面Ｐｄに支持されている。このため、ケーブルＤの荷重により、線材３０を介して固着部２０には下方への引張り力が作用するが、支持具１０がデッキプレートＰから落下するおそれは全くなく、支持具１０によってケーブルＤを安定した状態でコンクリート天井Ｔから吊り下げることができる。
【００３６】
さて、コンクリート天井Ｔを構築するために、デッキプレートＰの上面にコンクリートが打設される。このとき、支持具１０にはコンクリート打設圧が作用するが、支持具１０は、固着部２０が粘着テープ２６によって底部Ｐｂの上面Ｐｄに接着されているため、コンクリート打設圧によって支持具１０が底部Ｐｂから浮き上がることが阻止される。
【００３７】
したがって、デッキプレートＰの上面にコンクリートが打設されても、支持具１０は移動することなく、固着部２０の下面２２と貫通孔Ｐｃの周縁部たる底部Ｐｂの上面Ｐｄとの間は粘着テープ２６によって接着された状態が維持される。その結果、支持具１０のデッキプレートＰへの設置時に、貫通孔Ｐｃと取付部２１との間にコンクリートが侵入するのを防止するために、貫通孔Ｐｃに取付部２１が嵌合するように、貫通孔Ｐｃを精度よく底部Ｐｂに穿設する必要もない。
【００３８】
そして、コンクリート天井Ｔの構築時に、固着部２０の下面２２と貫通孔Ｐｃの周縁部たる底部Ｐｂの上面Ｐｄとの間から貫通孔Ｐｃ内にコンクリートが侵入することが阻止できる。このため、支持具１０をデッキプレートＰに支持させるように設置しても、貫通孔ＰｃからデッキプレートＰの下方へコンクリートが漏れ出ることが防止される。
【００３９】
上記実施形態によれば、以下のような効果を得ることができる。
（１）固着部２０によって貫通孔Ｐｃを閉鎖し、固着部２０の下面２２を底部Ｐｂの上面Ｐｄに当接、支持させた状態で、該固着部２０の下面２２と貫通孔Ｐｃの周縁部たる底部Ｐｂの上面Ｐｄとを粘着テープ２６によって接着した。このため、デッキプレートＰに支持具１０が設置された状態では、固着部２０の下面２２と貫通孔Ｐｃの周縁部たる底部Ｐｂの上面Ｐｄとの間にコンクリートが侵入することが阻止でき、貫通孔Ｐｃ内にコンクリートが侵入することを阻止することができる。したがって、デッキプレートＰに支持具１０を支持させても、コンクリート天井Ｔの構築時に貫通孔Ｐｃからコンクリートが漏れ出ることを防止することができる。
【００４０】
（２）また、固着部２０及び粘着テープ２６によって貫通孔Ｐｃ内へのコンクリートの侵入を阻止した。このため、例えば、貫通孔Ｐｃ内へのコンクリートの侵入を阻止するため、貫通孔Ｐｃの内周面が取付部２１の外周面に密接するようにデッキプレートＰに貫通孔Ｐｃを精度良く穿設する必要がない。したがって、デッキプレートＰへの貫通孔Ｐｃの穿設作業を容易に行うことができ、支持具１０のデッキプレートＰへの設置作業を容易に行うことができる。
【００４１】
（３）固着部２０の下面２２と貫通孔Ｐｃの周縁部たる底部Ｐｂの上面Ｐｄとを粘着テープ２６によって接着した。このため、デッキプレートＰに支持具１０が設置されコンクリート天井Ｔの構築時に支持具１０にコンクリート打設圧が作用しても、支持具１０が移動することが阻止され、固着部２０によって貫通孔Ｐｃを閉鎖した状態を維持することができ貫通孔Ｐｃ内にコンクリートが侵入することが阻止できる。
【００４２】
（４）支持具１０にはケーブルＤによって下方への引張り力が作用するが、固着部２０の下面２２を底部Ｐｂの上面Ｐｄに当接させたため、下方への引張り力によって支持具１０がデッキプレートＰから落下することを防止することができる。
【００４３】
（５）固着部２０の下面２２には粘着テープ２６が予め貼着されている。このため、支持具１０をデッキプレートＰに設置するその時に、固着部２０の下面２２の形状に沿うように粘着テープ２６を貼着する場合と比較して、支持具１０のデッキプレートＰへの設置作業、ひいては、ケーブルＤをコンクリート天井Ｔに吊り下げ支持させる作業を簡易化することができる。
【００４４】
（６）固着部２０の下面２２と底部Ｐｂの上面Ｐｄとの接着手段として粘着テープ２６を用いた。粘着テープ２６は該粘着テープ２６を底部Ｐｂの上面Ｐｄに接合した直後から所要の接着強度を発揮することができる。このため、例えば、接着剤のように硬化するまで所要の接着強度が発揮されない場合と異なり、固着部２０の下面２２を底部Ｐｂの上面Ｐｄに接合した直後に、デッキプレートＰ上面へのコンクリートの打設作業を行うことができ、コンクリート天井Ｔの構築作業の作業時間を短くできる。
【００４５】
（７）手により折り曲げ可能な線材３０を支持部材として用いてケーブルＤを支持する構成としたため、ケーブルＤを保持し支持具１０に吊り下げ支持させる作業を容易に行うことができる。
【００４６】
（８）線材３０によってケーブルＤが支持具１０に向かって引寄せられたとき、ケーブルＤが当接面２１ｃに当接するため、ケーブルＤは底部Ｐｂの下面より下方へ離れた位置で支持される。したがって、該ケーブルＤが貫通孔Ｐｃと底部Ｐｂの下面との境界に接触することを阻止でき、ケーブルＤが境界端縁に接触することにより損傷を受けてしまう不都合の発生を阻止できる。
【００４７】
（９）剥離紙２３の切り込み２３ａによって、剥離紙２３を粘着テープ２６の粘着面から剥離しやすくして、剥離紙２３の一部が粘着面に残ってしまう不都合の発生を抑制することができる。また、剥離紙２３を手前に引張ったとき、切り込み２３ａによって取付部２１の両側へ剥離紙２３が分断され、剥離紙２３を速やかに手元に持ってくることができる。したがって、例えば、剥離紙２３に切り込み２３ａが形成されず、剥離紙２３を、取付部２１及び線材３０に沿って下方へ移動させた後、剥離紙２３を手元に持ってくる場合と比較して、剥離紙２３の剥離作業を容易に行うことができる。
【００４８】
（１０）把持片２３ｂによって、剥離紙２３を粘着テープ２６から剥離する作業を容易に行うことができる。
（第２実施形態）
図４（ａ）及び（ｂ）には上記第１実施形態の変更例たる第２実施形態に係る支持具１０を示す。なお、以下においては第１実施形態に係る支持具１０との相違点についてのみ説明し、第１実施形態に係る支持具１０の部材と同一、同等又は類似の部材には同じ番号を付し、説明を省略する。
【００４９】
図４（ａ）及び（ｂ）に示すように、支持具１０において、固着部２０は、大径部２０ａと、大径部２０ａの下側に一体形成され大径部２０ａよりも小径をなす小径部２０ｂとより形成されている。固着部２０における小径部２０ｂの中央部には先端に向かうに従い先細状をなす位置決め部５０が下方へ延設されている。そして、位置決め部５０の外周部となる小径部２０ｂ（固着部２０）の下面（一面）２２に粘着テープ２６が貼着されている。
【００５０】
また、支持具１０において、固着部２０及び位置決め部５０を貫通して一対の挿入孔３２が形成され、この一対の挿入孔３２に線材３０の両部がそれぞれ挿入されて固着部２０に線材３０が一体的に設けられている。なお、線材３０の直径は挿入孔３２の直径とほぼ同じ又はわずかに小さく形成され、挿入孔３２内に線材３０が挿入された状態では該線材３０と挿入孔３２との間にほとんど隙間ができないようになっている。また、大径部２０ａに粘着テープ等を貼着して挿入孔３２を閉鎖してもよい。
【００５１】
そして、第２実施形態の支持具１０は、固着部２０と支持部としての線材３０とより構成され、さらに、固着部２０に一体形成された位置決め部５０を備えた構成となっている。位置決め部５０及び線材３０を貫通孔Ｐｃ内に挿入し、固着部２０を粘着テープ２６にて上面Ｐｄに接着して支持具１０をデッキプレートＰに設置しコンクリート天井Ｔを構築すると、大径部２０ａの下側と底部Ｐｂの上面Ｐｄとの間にコンクリートが侵入する。
【００５２】
したがって、上記構成の第２実施形態においても第１実施形態に記載の（１）〜（７）、（９）及び（１０）と同様な効果を奏する。さらに、第２実施形態の支持具１０においては、支持具１０にコンクリート打設圧が作用したとき、位置決め部５０が貫通孔Ｐｃの内面に速やかに当接する。このため、貫通孔Ｐｃの周縁部たるデッキプレートＰの上面Ｐｄに対し、固着部２０の下面２２が大きく相対移動することが規制され、両面を接着する粘着テープ２６に大きな負荷が作用することを抑制できる。したがって、粘着テープ２６による固着部２０の下面２２と底部Ｐｂの上面Ｐｄとの接着状態を維持することができる。なお、粘着テープ２６による固着部２０の下面２２と、底部Ｐｂの上面Ｐｄとの接着によって、貫通孔Ｐｃ内へのコンクリートの侵入、さらには、デッキプレートＰ下方へのコンクリートの漏れ出しは防止されている。このため、位置決め部５０の外周面と貫通孔Ｐｃの内周面との密接によって、貫通孔Ｐｃ内へのコンクリートの侵入を防止する必要はない。したがって、位置決め部５０を貫通孔Ｐｃ内に挿入したとき、貫通孔Ｐｃの内周面が位置決め部５０の外周面に密接するように精度良く底部Ｐｂに穿設する必要はない。
【００５３】
また、第２実施形態の支持具１０においては、例えば、コンクリート天井Ｔが構築された後、デッキプレートＰを除去しても、大径部２０ａの下面とコンクリート層Ｃ下部のコンクリートとの当接により、支持具１０をコンクリート層Ｃに支持することができ、支持具１０のコンクリート層Ｃからの落下を防止することができる。
【００５４】
なお、上記実施形態に係る設置方法及び支持具１０は、本発明の一実施形態を示すものにすぎず、それぞれ、本発明の趣旨から逸脱しない範囲で変形することが可能である。例えば、以下に記すように変形することも可能であり、また、各変形例を、互いに矛盾しない範囲内で適宜組み合わせて実施することも可能である。
【００５５】
・  図５に示すように、第２実施形態の支持具１０をコンクリートに埋設するとき、挿入孔３２に挿入された線材３０が単独でコンクリート層Ｃ内に埋設されるようにしてもよい。なお、このとき、線材３０の直径は挿入孔３２の直径とほぼ同じ又はわずかに小さく形成され、挿入孔３２内に線材３０を挿入したとき、該線材３０と挿入孔３２との間にほとんど隙間ができないようになっている。
【００５６】
・  図６に示すように、第１実施形態において、デッキプレートＰの下面に断熱層Ｓが設けられたコンクリート天井Ｔに支持具１０を設置する場合は、取付部２１を延設し、該取付部２１の下端が断熱層Ｓよりも下方へ突出するようにする。そして、断熱層Ｓよりも下方へ突出した取付部２１の下端部に挿通孔２１ａを形成し、該挿通孔２１ａに線材３０を挿通して取り付けてもよい。この図６に示す支持具１０において、支持具１０における支持部を取付部２１のみとして構成してもよい。
【００５７】
・  剥離紙２３の切り込み２３ａ及び把持片２３ｂの少なくとも一方を削除してもよい。
・  接着手段として粘着テープ２６に具体化したが、固着部２０の下面２２に接着剤を塗布して接着手段としてもよい。
【００５８】
・  第２実施形態において、位置決め部５０の直径を実施形態よりも小さくし、支持具１０が横方向へ移動したとき、位置決め部５０が貫通孔Ｐｃの内面に即座に当接しないように形成してもよい。すなわち、支持具１０から位置決め部５０の機能を削除してもよい。
【００５９】
・  第２実施形態において、図７に示すように、固着部２０を小径部２０ｂを削除して大径部２０ａを固着部２０とし、また、位置決め部５０を削除して、支持具１０を固着部２０と、支持部（線材３０）のみの構成としてもよい。このように構成した場合、固着部２０の上面には挿入孔３２を閉鎖するための粘着シール５１を貼着する。したがって、この場合、粘着シール５１によって、コンクリートが挿入孔３２内に侵入することが阻止される。なお、線材３０を固着部２０に一体形成してもよく、支持部を線材３０ではなくフック状をなす形状に形成してもよい。
【００６０】
・  第１実施形態では、取付部２１の先端に当接面２１ｃを形成したが、以下のように変更してもよい。すなわち、取付部２１の先端部に基端部より大径をなす当接部を形成し、その当接部の下面に当接面２１ｃを形成するとともに、取付部２１に線材３０を挿通支持させる。そして、この取付部２１を備えた支持具１０においては、線材３０にてケーブルＤが保持されたとき、ケーブルＤが当接面２１ｃに当接してケーブルＤが貫通孔Ｐｃと底部Ｐｂの下面との境界に接触することを阻止できる。このとき、当接面（当接部）２１ｃは取付部２１に設けられていることとなる。
【００６１】
・  第１実施形態において、固着部２０の下面に貫通孔Ｐｃの直径よりわずかに小さい直径をなす位置決め部を延設し、この位置決め部から取付部２１を延設してもよい。
・  第１実施形態において、固着部２０からの取付部２１の突出長さを、当接面２１ｃが底部Ｐｂの下面と同一平面上に位置する長さに設定してもよく、取付部２１を当接面２１ｃが貫通孔Ｐｃ内に収容される長さに設定してもよい。
【００６２】
・  第１実施形態では、線材３０を取付部２１に取付けて支持部４０を構成したが、取付部２１にフック部材を取付けて取付部２１とフック部材とより支持部を構成してもよい。また、取付部２１に線材３０又はフック部材を一体形成して支持具１０を形成してもよく、取付部２１と線材３０とが一体形成された部位が支持部を構成する。
【００６３】
・  第１実施形態では、支持具１０を、固着部２０と、取付部２１及び線材３０よりなる支持部４０とから構成したが、支持具１０を、固着部２０と、取付部２１のみよりなる支持部とから構成してもよい。このとき、取付部２１が当接部として機能する。さらには、取付部２１を棒状に形成し、その取付部２１の先端部に基端部より大径をなす当接部を形成し、その当接部の下面に当接面２１ｃを形成する。そして、この当接部が貫通孔Ｐｃの直径よりわずかに小さい直径をなすように形成した場合には、当接部によって位置決め部を構成してもよい。
【００６４】
・  第１実施形態では、ケーブルＤに当接する部位を面（当接面２１ｃ）としたが、面以外の形状としてもよい。すなわち、管類又はケーブル類が固着部２０に向かって線材３０によって引寄せられた状態で該線材３０に支持されたとき、管類又はケーブル類をデッキプレートＰの下面及び貫通孔Ｐｃから離れた位置に保持することができるのであれば、当接部の形状は任意に設定してもよい。
【００６５】
・  各実施形態では、固着部２０の下面２２に粘着テープ２６を貼着したが、貫通孔Ｐｃの周縁部となる底部Ｐｂの上面に粘着テープ２６を貼着しておき、その粘着テープ２６に固着部２０の下面２２を接合してもよい。また、固着部２０の下面２２を底部Ｐｂの上面に接着するそのときに、固着部２０の下面２２又は底部Ｐｂの上面に接着剤を塗布してもよい。
【００６６】
・  各実施形態では、固着部２０を円盤状に形成したが、貫通孔Ｐｃを閉鎖できるのであれば、固着部２０の形状は四角板状、六角板状等に任意に変更してもよい。
・  各実施形態では、支持具１０にケーブルＤを支持させたが、保護管等の管類を支持させてもよい。
【図面の簡単な説明】
【００６７】
【図１】第１実施形態の支持具をコンクリート天井に設置した状態を示す図。
【図２】支持具の固着部及び取付部を示す斜視図。
【図３】支持具にてケーブルを支持した状態を示す図。
【図４】（ａ）は第２実施形態の支持具を示す図、（ｂ）は第２実施形態の支持具を示す平面図。
【図５】別例の支持具の設置状態を示す図。
【図６】別例の支持具の設置状態を示す図。
【図７】別例の支持具を示す図。
【図８】特許文献１に開示された支持具を示す斜視図。
【符号の説明】
【００６８】
Ｄ…ケーブル類としてのケーブル、Ｐ…デッキプレート、Ｐｃ…貫通孔、Ｐｄ…貫通孔の周縁部となるデッキプレートの上面、Ｔ…コンクリート天井、１０…管・ケーブル類の支持具、２０…固着部、２１…支持部を構成する取付部、２１ｃ…当接部としての当接面、２２…固着部の一面たる下面、２３…剥離紙、２３ａ…切り込み、２３ｂ…把持片、２６…接着手段としての粘着テープ、３０…支持部を構成する支持部材としての線材、４０…支持部、５０…位置決め部。
【図１】
2006022862.tif 000003
【図２】
2006022862.tif 000004
【図３】
2006022862.tif 000005
【図４】
2006022862.tif 000006
【図５】
2006022862.tif 000007
【図６】
2006022862.tif 000008
【図７】
2006022862.tif 000009
【図８】
2006022862.tif 000010